(57)【要約】【課題】回収現像剤を再利用するとともに、所望の品質のカラー画像が得られるトリクル現像方式のカラー画像形成装置の提供。【解決手段】デジタル複合機１は、トナーとキャリアを含む現像剤が補給されると共に、画像情報に応じた感光体上の静電潜像に対してトナーを付着させトナー像を形成する複数の現像装置２２４ａ〜２２４ｅを備え、該トナー像を用紙に転写し画像形成する。デジタル複合機１は、現像装置２２４ａ〜２２４ｄから現像剤を回収して特定の現像装置２２２ｅに搬送する現像剤回収機構とドラフト出力モードか通常出力モードかを判別するモード判別部１０４とを備え、ドラフト出力モードと判別したときは、特定の現像装置２２２ｅ内の回収現像剤を用いてドラフト出力モードの画像を形成し、通常出力モードと判別したときは、現像装置２２２ａ〜２２４ｄ内の現像剤を用いて通常出力モードの画像を形成する。【選択図】図１
2011141458.tif 000002
【特許請求の範囲】
【請求項１】
トナーとキャリアを含む現像剤が補給されると共に、画像情報に応じた感光体上の静電潜像に対して前記トナーを付着させてトナー像を形成する複数の現像装置を備え、該トナー像を記録媒体に直接又は転写体を経由して転写し画像形成するカラー画像形成装置であって、
前記現像装置から前記現像剤を回収して前記複数の現像装置の中の特定の１の現像装置に搬送する現像剤回収機構と、
ドラフト出力モードか通常出力モードかを判別するモード判別手段と、を備え、
前記ドラフト出力モードと判別したときは、前記特定の現像装置内の前記回収した現像剤を用いてドラフト出力モードの画像を形成し、
前記通常出力モードと判別したときは、前記特定の現像装置以外の現像装置内の現像剤を用いて通常出力モードの画像を形成することを特徴とするカラー画像形成装置。
【請求項２】
請求項１に記載のカラー画像形成装置において、前記現像剤回収機構は、前記特定の１の現像装置を除く前記現像装置から現像剤を回収することを特徴とするカラー画像形成装置。
【発明の詳細な説明】
【技術分野】
【０００１】
本発明は、例えばカラープリンタなどのカラー画像形成装置であって、トナーとキャリアを含む現像剤を現像装置から回収して再利用するカラー画像形成装置に関するものである。
【背景技術】
【０００２】
複写機等の画像形成装置では、電子写真方式等によりトナー像を記録媒体上に形成する。このようなトナー像形成のために、トナーとキャリアを混合した現像剤を補給するとともに、現像剤の一部を排出する所謂トリクル現像方式が提案されている。トリクル現像方式では、現像剤が新しい状態に保たれるため、現像剤の帯電性を維持することができる。
最近は環境対策のため、排出された現像剤を回収し、元の現像装置に戻し、再利用するようにした画像形成装置が開発されており（例えば、特許文献１参照）、モノクロ画像を扱う画像形成装置ではよく見かけるようになってきている。
【先行技術文献】
【特許文献】
【０００３】
【特許文献１】特開２００６−２０１４７４号公報
【発明の概要】
【発明が解決しようとする課題】
【０００４】
しかしながら、カラー画像形成装置では、特許文献１に開示の技術のように回収現像剤を元の各色の現像装置に戻すと、現像剤の帯電性を厳密に管理できないので、所望の品質のカラー画像が得られない。このため、カラー画像形成装置では回収現像剤を再利用する機構は実用化されるにいたっていない。
【０００５】
本発明は上記の問題点を解決するためになされたもので、その目的は、回収現像剤を再利用するとともに、所望の品質のカラー画像が得られるトリクル現像方式のカラー画像形成装置を提供することにある。
【課題を解決するための手段】
【０００６】
上記課題を解決するために、本発明の第１の技術手段は、トナーとキャリアを含む現像剤が補給されると共に、画像情報に応じた感光体上の静電潜像に対して前記トナーを付着させてトナー像を形成する複数の現像装置を備え、該トナー像を記録媒体に直接又は転写体を経由して転写し画像形成するカラー画像形成装置であって、前記現像装置から前記現像剤を回収して前記複数の現像装置の中の特定の１の現像装置に搬送する現像剤回収機構と、ドラフト出力モードか通常出力モードかを判別するモード判別手段と、を備え、前記ドラフト出力モードと判別したときは、前記特定の現像装置内の前記回収した現像剤を用いてドラフト出力モードの画像を形成し、前記通常出力モードと判別したときは、前記特定の現像装置以外の現像装置内の現像剤を用いて通常出力モードの画像を形成することを特徴としたものである。
【０００７】
本発明の第２の技術手段は、第１の技術手段において、前記現像剤回収機構が、前記特定の１の現像装置を除く前記現像装置から現像剤を回収することを特徴としたものである。
【発明の効果】
【０００８】
本発明によれば、ドラフト出力モードでの画像形成に、現像装置から回収した現像剤を用いるので、現像剤の消費を抑え、ランニングコストをより向上させることができ、また、通常出力モードでは回収現像剤を使用しないので良品質の画像が得られる。
【図面の簡単な説明】
【０００９】
【図１】本発明のカラー画像形成装置が適用されるデジタルカラー複合機の機能を説明するためのブロック図である。
【図２】本発明のカラー画像形成装置が適用されるデジタルカラー複合機の構成の一例を示す図であるである。
【図３】図２のデジタルカラー複合機の現像装置の拡大図である。
【図４】ユーザのモード指定に応じて、図２のデジタル複合機１の制御部１０１により実行される動作制御について説明するためのフローチャートである。
【発明を実施するための形態】
【００１０】
図１は、本発明のカラー画像形成装置が適用されるデジタルカラー複合機の機能を説明するためのブロック図である。デジタルカラー複合機（以下、複合機と省略）１は、記録媒体等に記録された原稿画像を読み取って、原稿画像の画像データを出力する画像読取部１１０と、トナーを用いて画像データの印刷を行う画像形成部２１０と、装置全体の制御を司る制御部１０１と、ユーザからの操作を受け付ける操作部１０２と、ネットワークを介して外部機器との通信を行うＮＷ通信部１０３と、後述のモード判別部１０４とを備える。
【００１１】
画像形成部２１０は、第１〜第５画像形成ステーションＰａ，Ｐｂ，Ｐｃ，Ｐｄ，Ｐｅと、現像剤回収部２１０ａを有する。第１〜第５画像形成ステーションＰａ，Ｐｂ，Ｐｃ，Ｐｄ，Ｐｅは、画像読取部１１０で読み取った画像データ又はＮＷ通信部１０３を介して外部から伝達された画像データに応じて、所定のシート（記録媒体）上にトナー像を形成する。また、第１〜第５画像形成ステーションＰａ，Ｐｂ，Ｐｃ，Ｐｄ，Ｐｅは、トリクル現像方式を採用しており、その現像装置２２４ａ〜２２４ｅには、トナーとキャリアを含む現像剤が補給され、現像剤の一部が排出されるようになっている。
【００１２】
第１画像形成ステーションＰａは現像装置２２４ａにて黒（Ｋ）色のトナーを用いてトナー像を形成し、第２画像形成ステーションＰｂは現像装置２２４ｂにてシアン（Ｃ）色のトナーを用いてトナー像を形成し、第３画像形成ステーションＰｃは現像装置２２４ｃにてマゼンタ（Ｍ）色のトナーを用いてトナー像を形成し、第４画像形成ステーションＰｄは現像装置２２４ｄにてイエロー（Ｙ）色のトナーを用いてトナー像を形成し、第５画像形成ステーションＰｅは現像装置２２４ｅにて回収現像剤（略黒色）を用いてトナー像を形成する。この回収現像剤とは、現像剤回収部２１０ａを用いて、第１〜第４画像形成ステーションＰａ，Ｐｂ，Ｐｃ，Ｐｄの現像装置２２４ａ〜２２４ｄから回収した現像剤である。
現像剤回収部２１０ａは、第１〜第４画像形成ステーションＰａ，Ｐｂ，Ｐｃ，Ｐｄの現像装置２２４ａ〜２２４ｄから溢れた現像剤や、画像形成に支障がない時に上記現像装置２２４ａ〜２２４ｄから排出された現像剤を第５画像形成ステーションＰｅの現像装置２２４ｅに回収する。
【００１３】
操作部１０２は、ユーザの操作により制御命令などの情報が入力されるタッチパネルやテンキー等の入力部１０２ａと、操作のために必要な情報を表示する液晶パネル等の表示部１０２ｂとからなる操作パネルで構成される。
【００１４】
複合機１は、画像読取部１１０で読み取った原稿画像データ又はＮＷ通信部１０３を介して受信した画像データに基づき、画像形成部２１０で画像を形成するものであるが、画像形成部２１０で形成される画像は、ユーザにより操作部１０２を介して選択される画像形成のモードによって異なる。複合機１が行う画像形成のモードには、通常出力モードとドラフト出力モードとが含まれる。
【００１５】
通常出力モードの場合は、画像形成部２１０の第１〜第４画像形成ステーションＰａ，Ｐｂ，Ｐｃ，Ｐｄにより、ブラックＫ，シアンＣ，マゼンタＭ，イエローＹの現像剤を用いた通常出力モードの画像が形成される。また、ドラフト出力モードの場合は、画像形成部２１０の第５画像形成ステーションＰｅにより、現像剤回収部２１０ａが回収した現像剤（回収現像剤）を用いたドラフト出力モードの画像が形成される。
【００１６】
なお、ユーザは、画像形成のモードの選択を、ＮＷ通信部１０３を通じて接続される外部コンピュータのプリンタドライバ等を介しても行うこともできる。また、図示しない無線により通信可能な情報端末装置からのモード選択も可能である。
モード判別部１０４は、複合機１に現在設定されているモードを判別する手段であって、少なくとも、操作部１０２又はＮＷ通信部１０３を通じて接続される外部コンピュータのプリンタドライバを介して画像形成の指示がされたときに、ユーザが画像形成のモードとして通常モードを選択しているかどうか判別する。
【００１７】
複合機１は、操作部１０２や、ＮＷ通信部１０３を通じて接続される外部機器を介して、画像形成の指示があった場合、モード判別部１０４の判別結果に基づき、ブラックＫ，シアンＣ，マゼンタＭ，イエローＹの現像剤を用いた画像、又は回収現像剤を用いた画像を、画像形成部２１０で形成する。
【００１８】
図２は、図１の複合機の物理的な構成の一例を示す図である。複合機１は、本体上部に原稿台１１１及び操作パネル（図示せず）を備え、本体内部に画像読取部１１０及び画像形成部２１０を備える。
画像読取部１１０は、両面自動原稿送り装置（ＲＡＤＦ；Reversing Automatic Document Feeder）１１２によって原稿台１１１上に搬送されてきた原稿の画像を読み取る。
画像形成部２１０は、画像読取部１１０で読み取った画像又は外部から伝達された画像を記録媒体上に再現するものであって、第１〜第５画像形成ステーションＰａ，Ｐｂ，Ｐｃ，Ｐｄ，Ｐｅ、転写搬送ベルトユニット２１３、給紙トレイ２１６、用紙搬送機構２１１、定着ユニット２１８、排紙トレイ２１７等により構成される。
【００１９】
まず、第１〜第５画像形成ステーションＰａ，Ｐｂ，Ｐｃ，Ｐｄ，Ｐｅの構造について説明するが、これらは一部を除き同様な構成を有しているので、同様な構成部分については、小文字アルファベットの表示を省略し、まとめて画像形成ステーションＰ等として説明する。
画像形成ステーションＰは、露光ユニット２２１、現像装置２２４、感光体ドラム２２２、帯電器２２３、クリーニングユニット２２６を備える。
【００２０】
露光ユニット２２１は、例えば、レーザスキャニングユニット（ＬＳＵ）で構成され、帯電器２２３により表面が所定の電位に均一に帯電された感光体ドラム２２２を、入力される画像データに応じて露光することにより、感光体ドラム２２２の表面に、画像データに応じた静電潜像を形成する機能を有するものである。
【００２１】
なお、感光体ドラム２２２は、制御部１０１が制御する接離機構（図示せず）を介して、後述の転写ベルトから離間したり、転写ベルトに当接したりするように移動可能に構成されている。また、第１〜第４画像形成ステーションＰａ，Ｐｂ，Ｐｃ及びＰｄの感光体ドラム２２２ａ〜ｄと、第５画像形成ステーションＰｅの感光体ドラム２２２ｅとは、互いに違う方向に移動されることができる。
【００２２】
現像装置２２４は、それぞれの感光体ドラム２２２上に形成された静電潜像をトナーにより顕像化するもので、画像形成ステーション毎に用いるトナーが異なっている。特に、第５の画像形成ステーションＰｅの現像装置２２４ｅは、他の画像形成ステーションの現像装置から回収した現像剤のトナーを用いて顕像化を行う。
クリーニングユニット２２６は、現像・画像転写後における感光体ドラム２２２上の表面に残留したトナーを、除去・回収する。
【００２３】
続いて、転写搬送ベルトユニット２１３等について説明する。
転写搬送ベルトユニット２１３は、張架された転写ベルト２１４を矢印Ｚ方向に回転駆動させ、転写ローラ２２５により、各画像形成ステーションＰの感光体ドラム２２２上のトナー像を、転写ベルト２１４上に吸着されて搬送されるシート（記録媒体）に転写する。
【００２４】
転写ベルト２１４には、感光体ドラムのうち、そのときの画像形成のモードで使用される感光体ドラムのみが接触する。通常出力モードの場合は、感光体ドラム２２２ａ，２２２ｂ，２２２ｃ，２２２ｄのみが転写ベルト２１４に接触しており、当該感光体ドラム上に形成された各色のトナー像をシート（記録媒体）に順次的に重ねて転写することによって、カラーのトナー像（多色トナー像）を形成する。また、ドラフト出力モードの場合は、感光体ドラム２２２ｅのみが接触し、当該感光体ドラム上に形成された回収現像剤によるトナー像を記録媒体に転写し、記録媒体上にトナー像を形成する。
【００２５】
また、転写ベルトクリーナユニット２１５は、感光体ドラム２２２との接触により転写ベルト２１４に付着したトナーを、記録紙の裏面を汚さないよう、転写ベルト２１４から除去・回収する。
【００２６】
給紙トレイ２１６は、画像形成に使用するシート（記録媒体）を蓄積しておくためのトレイであり、排紙トレイ２１７は、画像形成済みのシート（記録媒体）をフェイスアップで載置するためのトレイである。
【００２７】
用紙搬送機構２１１は、給紙トレイ２１６のシートを転写搬送ベルトユニット２１３や定着ユニット２１８を経由させて排紙トレイ２１７に搬送するためのものであり、搬送されているシートをレジストローラ２１２で一旦保持し、そして、感光体ドラム２２２上のトナー像を搬送しているシート上に多重転写できるように、感光体ドラム２２２の回転にあわせて、シートをタイミングよく搬送する。
【００２８】
定着ユニット２１８は、シートに転写されたトナー像を熱圧着により溶融・混合・圧接し、シートに対して熱定着させる。
なお、画像が形成されたシートは、排紙トレイ２１７上に排出される。
【００２９】
この複合機１は、例えば、操作パネルや外部コンピュータのプリンタドライバを介して、ユーザにより選択されるモード（ドラフト出力モード、通常出力モード等）に応じて、動作が異なる。すなわち、ユーザに選択される画像形成のモードによって、画像形成時に用いられる画像形成ステーションが異なる。
【００３０】
「ドラフト出力モード」とは、第５画像形成ステーションＰｅのみを用いて、読み取った画像データ又は外部から伝達された画像データに基づき、回収現像剤のトナーによるトナー像を形成し、そのトナー像を記録媒体に直接又は転写体を経由して転写し、モノクロの原稿画像を記録媒体上に再現するモードである。ユーザは、例えば、校正用の書類を作成する場合など、品質が然程に問われない画像が必要なときに、このドラフト出力モードを選択する。このモードで画像形成を行う場合、従来廃棄されていた回収現像剤を再利用するため、現像剤の消費を抑えることができ、ユーザにとってコスト削減になるばかりでなく、省資源化も達成することができる。
【００３１】
「通常出力モード」では、第１〜第４画像形成ステーションＰａ〜Ｐｄ又は第１画像形成ステーションＰａのみを用いて、読み取った画像データ又は外部から伝達された画像データに基づきトナー像を形成し、そのトナー像を記録媒体に直接又は転写体を経由して転写し、カラー又はモノクロの原稿画像を記録媒体上に再現する。ユーザは、例えば、カラー写真をコピーする場合やクライアントに提出する書類を作成する場合など、高品質な画像が必要なときに、この通常出力モードを選択する。このモードでの画像形成には、回収現像剤を用いないため、良品質のカラー又はモノクロの画像を得ることができる。
【００３２】
図２の複合機１の現像装置の構造について、図３を用いてさらに説明する。図３（Ａ）は、第１画像形成ステーションＰａの現像装置２２４ａの拡大図、図３（Ｂ）は、第５画像形成ステーションＰｅの現像装置２２４ｅの拡大図である。
【００３３】
第１画像形成ステーションＰａの現像装置２２４ａでは、図３（Ａ）に示すように、現像剤容器１１内のトナーとキャリアを含む現像剤が、現像を行う本体部１２に供給され、本体部１２には、現像剤排出シャッタ１３が設けられている。現像剤排出シャッタ１３を介して排出された現像剤は、図示省略の回収現像剤搬送装置により、ドラフト出力モード用の画像形成ステーションすなわち第５画像形成ステーションＰｅの現像装置２２４ｅに搬送される。なお、図示は省略するが、第２〜第４画像形成ステーションＰｂ，Ｐｃ，Ｐｄの現像装置２２４ｂ，２２４ｃ，２２４ｄの構造も同様である。
【００３４】
一方、第５画像形成ステーションＰｅの現像装置２２４ｅは、第１画像形成ステーションＰａの現像装置２２４ａと同様に、図３（Ｂ）に示すように、現像剤容器２１内のトナーとキャリアを含む現像剤が、現像を行う本体部２２に供給され、本体部２２には、現像剤排出シャッタ２３が設けられている。
【００３５】
ただし、第１画像形成ステーションＰａの現像装置２２４ａと異なり、現像剤容器２１に現像剤補給口２４が設けられており、第１〜第４画像形成ステーションＰａ，Ｐｂ，Ｐｃ，Ｐｄの現像装置２２４ａ，２２４ｂ，２２４ｃ，２２４ｄの現像剤排出シャッタを介して排出され上述の回収現像剤搬送装置により搬送された現像剤が現像剤補給口２４を介して補給されるようになっている。また、第１画像形成ステーションＰａの現像装置２２４ａでは、現像剤排出シャッタ２３から排出された現像剤は、図示しない現像剤廃棄ボックスに集められ廃棄されるようになっている。
【００３６】
さらに、第５画像形成ステーションＰｅの現像装置２２４ｅは、本体部２２内の現像剤が所定量に達したか否かを検出するための圧電センサ２５を本体部２２に有している。複合機１において、この圧電センサ２５を用いて、ドラフト出力モード用の第５画像形成ステーションＰｅの現像装置２２４ｅ内の現像剤が所定量に達したことが検出されたときにのみ、ドラフト出力モード（試し印刷モード）を選択できるようにするとよい。これにより、例えば、第５画像形成ステーションＰｅの現像装置２２４ｅ内の現像剤の量が少なくドラフト出力モードでの画像形成が不可能なのにも関わらず、ドラフト出力モードが選択されてしまうことを防ぐことができる。
【００３７】
以上の例では、第５画像形成ステーションＰｅの現像装置２２４ｅから排出された現像剤については廃棄するものとしたが、当該現像装置２２４ｅに回収するようにしてもよい。ただし、廃棄した方が、ドラフト出力モードでも高品質な画像が得られる。
なお、第１〜第５画像形成ステーションの現像装置の現像剤排出シャッタは、画像形成に支障がないときに開閉されることが好ましい。例えば、画像形成前後の複合機１が駆動している時などが良い。
また、一部または全部の画像形成ステーションのクリーニングユニット並びに／または転写ベルトクリーナユニットで回収したトナーを現像装置に搬送し、再利用するようにしてもよい。
【００３８】
次に、上記のような構成の複合機１における処理の流れについて図４を用いて説明する。図４は、ユーザのモード指定に応じて、複合機１の制御部１０１により実行される動作制御について説明するフローチャートである。
【００３９】
ユーザから印刷又は複写の指示があると、まず、制御部１０１は、ステップ１（以降、Ｓ１のように称する）において、ユーザによって指定されたモードが、ドラフト出力モードであるかどうかを判定する。Ｓ１においてＮＯ、すなわち、通常出力モードがユーザによって指定された場合には、まず、Ｓ２において、接離機構を駆動させることによって、ドラフト出力モードに対応する感光体ドラム２２２ｅを転写ベルト２１４から離間させる。さらに、感光体ドラム２２２ｅの回転駆動をオフさせ、停止状態とする（Ｓ３）。併せて、感光体ドラム２２２ｅに対する帯電・現像動作等もオフさせる（Ｓ４）。
【００４０】
そしてＳ５においてブラックＫ，シアンＣ，マゼンタＭ，イエローＹの各色に対応する各感光体ドラム２２２ａ，２２２ｂ，２２２ｃ，２２２ｄを、転写ベルト２１４に接する通常位置に配置させる。さらに、Ｓ６において、各々の感光体ドラム２２２ａ，２２２ｂ，２２２ｃ，２２２ｄを回転駆動させる。その後、電子写真プロセスに従って、各々の感光体ドラム２２２ａ、２２２ｂ、２２２ｃ、２２２ｄに対して、対応する帯電・現像動作等を実行させる（Ｓ７）。そして、感光体ドラム２２２ａ，２２２ｂ，２２２ｃ，２２２ｄ上に形成されたＫ，Ｃ，Ｍ，Ｙのトナー像を転写させて、用紙上に通常のカラー画像が形成される（Ｓ８）。
【００４１】
一方、Ｓ１においてＹＥＳ、すなわち、ドラフト出力モードが指定された場合には、まず、Ｓ９において、接離機構を駆動させることによって、Ｋ、Ｃ、Ｍ、Ｙの各色に対応する各感光体ドラム２２２ａ、２２２ｂ、２２２ｃ、２２２ｄを転写ベルト２１４から離間させる。さらに、これらの各感光体ドラム２２２ａ、２２２ｂ、２２２ｃ、２２２ｄの回転駆動をオフさせ、停止状態とする（Ｓ１０）。併せて、これらの各感光体ドラム２２２ａ、２２２ｂ、２２２ｃ、２２２ｄに対する帯電・現像動作等もオフさせる（Ｓ１１）。このような状態で、ドラフト出力モード用の感光体ドラム２２２ｅを、転写ベルト２１４に接する通常位置に配置させ（Ｓ１２）、回転駆動させ（Ｓ１３）、電子写真プロセスに従って、この感光体ドラム２２２ｅに対して帯電・現像動作等を実行させる（Ｓ１４）。そして、感光体トラム２２２ｅ上に形成された回収現像剤によるトナー像を転写させて、用紙上にドラフト出力画像が形成される（Ｓ１５）。
【００４２】
なお、以上の説明では、各画像形成ステーションで形成したトナー像を直接記録媒体に転写し画像を形成するとしたが、トナー像を一旦転写体に転写した後に当該転写体から記録媒体に再度転写して画像を形成してもよい。
【００４３】
以上、本発明について、カラー画像形成装置をデジタルカラー複合機として構成した例で説明したが、本発明はこの構成に特に限定されるものではなく、原稿読み取りスキャナとデジタルカラープリンタの一体的な構成や、原稿読み取りスキャナとデジタルカラープリンタが夫々個別に独立して接続された構成であっても構わない。
転写機構に関しても、いわゆる二次転写装置が必要な中間転写機構を用いても構わないし、定着装置に至っては、外部加熱方式のＩＨ方式を用いたものであっても構わない。
また、本発明は、以上の例のようなタンデム方式に限られるものではない。
【符号の説明】
【００４４】
１…デジタル複合機、１１…現像剤容器、１２…本体部、１３…現像剤排出シャッタ、２１…現像剤容器、２２…本体部、２３…現像剤排出シャッタ、２４…現像剤補給口、２５…圧電センサ、１０１…制御部、１０２…操作部、１０２ａ…入力部、１０２ｂ…表示部、１０３…ＮＷ通信部、１０４…モード判別部、１１０…画像読取部、１１１…原稿台、２１０…画像形成部、２１０ａ…現像剤回収部、２１１…用紙搬送機構、２１２…レジストローラ、２１３…転写搬送ベルトユニット、２１４…転写ベルト、２１５…転写ベルトクリーナユニット、２１６…給紙トレイ、２１７…排紙トレイ、２１８…定着ユニット、２２０…排紙トレイ、２２１…露光ユニット、２２２ａ〜２２２ｅ…感光体ドラム、２２３ａ〜２２３ｅ…帯電器、２２４ａ〜２２４ｅ…現像装置、２２５…転写ローラ、２２６…クリーニングユニット。
【図１】
2011141458.tif 000003
【図２】
2011141458.tif 000004
【図３】
2011141458.tif 000005
【図４】
2011141458.tif 000006